【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
導電性基体と、前記導電性基体上に設けられ、結着樹脂、金属酸化物粒子、並びに、下記一般式（１−１）及び下記一般式（１−２）で示される電子受容性化合物から選択される少なくとも１種を含む下引き層と、前記下引き層上に設けられた感光層と、を有する電子写真感光体と、
前記電子写真感光体を回転駆動する駆動部と、
前記電子写真感光体の表面を帯電する帯電部材と、
前記帯電部材に電圧を印加する帯電部材用の電圧印加部と、
帯電された前記電子写真感光体の表面に静電潜像を形成する潜像形成部と、
トナーを含む現像剤により、前記電子写真感光体の表面に形成された前記静電潜像を現像し、トナー画像を形成する現像部材と、
前記現像部材に電圧を印加する現像部材用の電圧印加部と、
前記電子写真感光体の表面に形成されたトナー画像を被転写体へ転写する転写部材と、
前記転写部材に電圧を印加する転写部材用の電圧印加部と、
前記トナー画像を転写した後、前記電子写真感光体の表面を露光して除電する除電部と、
画像形成終了後、その終了した画像形成情報のうち、連続して形成された同一の画像の出力数及びその画像形成のプロセス速度が予め定めた関係のとき、前記帯電部材及び前記転写部材に電圧を印加し、且つ前記除電部により前記電子写真感光体の表面を露光した状態で、前記電子写真感光体を回転させるように、前記駆動部、前記帯電部材用の電圧印加部、前記転写部材用の電圧印加部、及び前記除電部を制御する制御部と、
を備える画像形成装置。
【化１】
2014137547.tif 000001
（一般式（１−１）及び一般式（１−２）中、ｎ１１、ｎ１１’、ｎ１２、ｎ１２’、ｎ１３、及びｎ１４は、各々独立に０以上３以下の整数を表す。但し、ｎ１１及びｎ１２の少なくとも一方は１以上３以下の整数を示す。ｎ１１’及びｎ１２’の少なくとも一方は１以上３以下の整数を示す。ｎ１４及びｎ１３の少なくとも一方は１以上３以下の整数を示す。ｍ１１、ｍ１１’ｍ１２及びｍ１２’は、各々独立に０又は１の整数を示す。ｒ１１は２以上１０以下の整数を示す。Ｒ１１、Ｒ１１’、Ｒ１２及びＲ１２’は、各々独立に炭素数１以上１０以下のアルキル基、又は炭素数１以上１０以下のアルコシキ基を表す。）
【請求項２】
前記制御部が、終了した画像形成時に印加されていた電圧を前記帯電部材に印加し、終了した画像形成時に印加されていた電圧を前記転写部材に印加するように、前記帯電部材用の電圧印加部、及び前記転写部材用の電圧印加部を制御する請求項１に記載の画像形成装置。
【請求項３】
前記制御部が、終了した画像形成時に印加されていた電圧よりも低い電圧を前記帯電部材に印加し、終了した画像形成時に印加されていた電圧よりも高い電圧を前記転写部材に印加するように、前記帯電部材用の電圧印加部、及び前記転写部材用の電圧印加部を制御する請求項１に記載の画像形成装置。
【請求項４】
前記制御部が、さらに前記現像部材に電圧を印加するように、前記現像部材用の電圧印加部を制御する請求項１〜３のいずれか１項に記載の画像形成装置。
【請求項５】
前記連続して形成された同一の画像の出力数及びその画像形成のプロセス速度の予め定めた関係が、連続して形成された同一の画像の出力数が予め定めた出力数以上で、且つ画像形成のプロセス速度が予め定めた速度以下の関係である請求項１〜４のいずれか１項に記載の画像形成装置。
【請求項６】
前記連続して形成された同一の画像の出力数及びその画像形成のプロセス速度の予め定めた関係が、下記式（１１）で示される関係である請求項１〜５のいずれか１項に記載の画像形成装置。
・式（１１）：ＯＰ／ＰＳ≧２．２
（式（１１）中、ＯＰは、連続して形成された同一の画像の出力数（枚）を示す。ＰＳは、画像形成のプロセス速度（ｍｍ／ｓ）を示す。）
【請求項７】
前記電子写真感光体の感光層が、電荷発生層及び電荷輸送層を有し、
前記電荷輸送層が、下記一般式（２）で示される電荷輸送材料と、下記一般式（３）で表される繰り返し単位及び下記一般式（４）で表される繰り返し単位を含むポリカーボネート共重合体と、を含む請求項１〜６のいずれか１項に記載の画像形成装置。
【化２】
2014137547.tif 000002
（一般式（２）中、Ｒ１、Ｒ２、Ｒ３、Ｒ４、Ｒ５、及び、Ｒ６は、それぞれ同一であっても異なっていてもよく、水素原子、アルキル基、アルコキシル基、ハロゲン原子、又は、置換若しくは無置換のアリ−ル基を示す。ｍ１及びｎ２は、各々独立に０又は１を示す。）
【化３】
2014137547.tif 000003
（一般式（３）及び一般式（４）中、Ｒ７、Ｒ８、Ｒ９、及び、Ｒ１０は、各々独立に、水素原子、ハロゲン原子、炭素数１以上６以下のアルキル基、炭素数５以上７以下のシクロアルキル基、又は、炭素数６以上１２以下のアリール基を表す。Ｘは、フェニレン基、ビフェニレン基、ナフチレン基、直鎖若しくは分岐アルキレン基、又は、シクロアルキレン基を表す。）
【請求項８】
導電性基体と、前記導電性基体上に設けられ、結着樹脂、金属酸化物粒子、並びに、下記一般式（１−１）及び下記一般式（１−２）で示される電子受容性化合物から選択される少なくとも１種を含む下引き層と、前記下引き層上に設けられた感光層と、を有する電子写真感光体の表面を帯電部材により帯電する第１工程と、
帯電された前記電子写真感光体の表面に静電潜像を形成する第２工程と、
トナーを含む現像剤により、前記電子写真感光体の表面に形成された前記静電潜像を現像部材により現像し、トナー画像を形成する第３工程と、
前記電子写真感光体の表面に形成されたトナー画像を転写部材により被転写体へ転写する第４工程と、
前記トナー画像を転写した後、前記電子写真感光体の表面を除電部により露光して除電する第５工程と、
画像形成終了後、その終了した画像形成情報のうち、連続して形成された同一の画像の出力数及びその画像形成のプロセス速度が予め定めた関係のとき、前記帯電部材及び前記転写部材に電圧を印加し、且つ前記除電部により前記電子写真感光体の表面を露光した状態で、前記電子写真感光体を回転させる第６工程と、
を有する画像形成方法。
【化４】
2014137547.tif 000004
（一般式（１−１）及び一般式（１−２）中、ｎ１１、ｎ１１’、ｎ１２、ｎ１２’、ｎ１３、及びｎ１４は、各々独立に０以上３以下の整数を表す。但し、ｎ１１及びｎ１２の少なくとも一方は１以上３以下の整数を示す。ｎ１１’及びｎ１２’の少なくとも一方は１以上３以下の整数を示す。ｎ１４及びｎ１３の少なくとも一方は１以上３以下の整数を示す。ｍ１１、ｍ１１’ｍ１２及びｍ１２’は、各々独立に０又は１の整数を示す。ｒ１１は２以上１０以下の整数を示す。Ｒ１１、Ｒ１１’、Ｒ１２及びＲ１２’は、各々独立に炭素数１以上１０以下のアルキル基、又は炭素数１以上１０以下のアルコシキ基を表す。）
【請求項９】
前記第６工程において、終了した画像形成時に印加されていた電圧を前記帯電部材に印加し、終了した画像形成時に印加されていた電圧を前記転写部材に印加する請求項８に記載の画像形成方法。
【請求項１０】
前記第６工程において、終了した画像形成時に印加されていた電圧よりも低い電圧を前記帯電部材に印加し、終了した画像形成時に印加されていた電圧よりも高い電圧を前記転写部材に印加する請求項８に記載の画像形成方法。
【請求項１１】
前記第６工程において、さらに前記現像部材に電圧を印加する請求項８〜１０のいずれか１項に記載の画像形成方法。
【請求項１２】
前記連続して形成された同一の画像の出力数及びその画像形成のプロセス速度の予め定めた関係が、連続して形成された同一の画像の出力数が予め定めた出力数以上で、且つ画像形成のプロセス速度が予め定めた速度以下の関係である請求項８〜１１のいずれか１項に記載の画像形成方法。
【請求項１３】
前記連続して形成された同一の画像の出力数及びその画像形成のプロセス速度の予め定めた関係が、下記式（１１）で示される関係である請求項８〜１２のいずれか１項に記載の画像形成方法。
・式（１１）：ＯＰ／ＰＳ≧２．２
（式（１１）中、ＯＰは、連続して形成された同一の画像の出力数（枚）を示す。ＰＳは、画像形成のプロセス速度（ｍｍ／ｓ）を示す。）
【請求項１４】
前記電子写真感光体の感光層が、電荷発生層及び電荷輸送層を有し、
前記電荷輸送層が、下記一般式（２）で示される電荷輸送材料と、下記一般式（３）で表される繰り返し単位及び下記一般式（４）で表される繰り返し単位を含むポリカーボネート共重合体と、を含む請求項８〜１３のいずれか１項に記載の画像形成方法。
【化５】
2014137547.tif 000005
（一般式（２）中、Ｒ１、Ｒ２、Ｒ３、Ｒ４、Ｒ５、及び、Ｒ６は、それぞれ同一であっても異なっていてもよく、水素原子、アルキル基、アルコキシル基、ハロゲン原子、又は、置換若しくは無置換のアリ−ル基を示す。ｍ１及びｎ２は、各々独立に０又は１を示す。）
【化６】
2014137547.tif 000006
（一般式（３）及び一般式（４）中、Ｒ７、Ｒ８、Ｒ９、及び、Ｒ１０は、各々独立に、水素原子、ハロゲン原子、炭素数１以上６以下のアルキル基、炭素数５以上７以下のシクロアルキル基、又は、炭素数６以上１２以下のアリール基を表す。Ｘは、フェニレン基、ビフェニレン基、ナフチレン基、直鎖若しくは分岐アルキレン基、又は、シクロアルキレン基を表す。）
【請求項１５】
導電性基体と、前記導電性基体上に設けられ、結着樹脂、金属酸化物粒子、並びに、下記一般式（１−１）及び下記一般式（１−２）で示される電子受容性化合物から選択される少なくとも１種を含む下引き層と、前記下引き層上に設けられた感光層と、を有する電子写真感光体と、
前記電子写真感光体を回転駆動する駆動部と、
前記電子写真感光体の表面を帯電する帯電部材と、
前記帯電部材に電圧を印加する帯電部材用の電圧印加部と、
前記電子写真感光体の表面に形成されたトナー画像を被転写体へ転写する転写部材と、
前記転写部材に電圧を印加する転写部材用の転写部材用の電圧印加部と、
前記トナー画像を転写した後、前記電子写真感光体の表面を露光して除電する除電部と、
画像形成終了後、その終了した画像形成情報のうち、連続して形成された同一の画像の出力数及びその画像形成のプロセス速度が予め定めた関係のとき、前記帯電部材及び前記転写部材に電圧を印加し、且つ前記除電部により前記電子写真感光体の表面を露光した状態で、前記電子写真感光体を回転させるように、前記駆動部、前記帯電部材用の電圧印加部、前記転写部材用の電圧印加部、及び前記除電部を制御する制御部と、
を備え、
画像形成装置に着脱されるプロセスカートリッジ。
【化７】
2014137547.tif 000007
（一般式（１−１）及び一般式（１−２）中、ｎ１１、ｎ１１’、ｎ１２、ｎ１２’、ｎ１３、及びｎ１４は、各々独立に０以上３以下の整数を表す。但し、ｎ１１及びｎ１２の少なくとも一方は１以上３以下の整数を示す。ｎ１１’及びｎ１２’の少なくとも一方は１以上３以下の整数を示す。ｎ１４及びｎ１３の少なくとも一方は１以上３以下の整数を示す。ｍ１１、ｍ１１’ｍ１２及びｍ１２’は、各々独立に０又は１の整数を示す。ｒ１１は２以上１０以下の整数を示す。Ｒ１１、Ｒ１１’、Ｒ１２及びＲ１２’は、各々独立に炭素数１以上１０以下のアルキル基、又は炭素数１以上１０以下のアルコシキ基を表す。）